(57)【要約】【課題】使用温度環境において、磁石が割れたり、磁石とヨークを保持する部材との間の空隙が生じ、磁力が低下しないモータの磁石の接着構造を提供すること。【解決手段】回転軸と、回転軸に圧入される略環状のヨークと、ヨークの回転軸方向の外周に配置される磁石とを有し、円筒状磁石を略有底形状に形成するとともに、磁石は回転軸に垂直な磁石の有底部内面でヨークと結合される。【選択図】  図１
2005354841.tif 000002
【特許請求の範囲】
【請求項１】
回転軸と、該回転軸に固定されたヨークと、該ヨークに固定される磁石とを有する電動モータにおいて、
該磁石は有底部を有するカップ形状であり、該磁石の有底部に該ヨークの端面が係合することを特徴とする電動モータ。
【請求項２】
前記磁石とヨークが係合する部分は接着剤により前記磁石と前記ヨークが固定されていることを特徴とする請求項１記載の電動モータ。
【請求項３】
前記磁石は温間押し出し成型により製造されることを特徴とする請求項１に記載の電動モータ。
【発明の詳細な説明】
【技術分野】
【０００１】
本発明は電動モータに係わり、より詳細には電動モータのコイルに対向して配される磁石、およびヨーク間の接着構造に関するものである。
【背景技術】
【０００２】
従来の電動モータとして、特開平８−３２２１７４号（特許文献１）に示されたものがある。この電動モータはヨークの外周側面に配置される磁石を有し、ヨークの外周側面と磁石との間に接着剤、および接着剤の外周をシリコーンゴムで覆い磁石がヨーク上に保持固定される構成である。（特許文献１の第１図参照）
【特許文献１】特開平８ −３２２１７４ 号公報
【発明の開示】
【発明が解決しようとする課題】
【０００３】
上記特許文献１に記載されたヨークに対する永久磁石の固定構造では、シリコーンゴムによってヨークと永久磁石との間の接着強度を確保する試みが成されている。しかしながら、ヨークの高速回転に起因してヨークから永久磁石が剥離脱落してしまうという問題があった。
【０００４】
モータ用の磁石として使用される頻度が大きいラジアル異方性希土類磁石は、一般的には熱膨張係数が極めて小さいか、温度上昇によって収縮するようなマイナスの係数を示す特性の磁石である。このような特性を有する磁石は、モータ本体が低温から高温に至る広範囲の使用温度条件下におかれると、磁石を固定するための接着剤による応力吸収能力を超えてしまい、磁石割れが発生する恐れがあった。この問題を回避するため、応力吸収能力を高めるため、さらに柔らかい接着剤を用いたり、接着剤の接着層を厚くする等の対策を講じているが、特に、接着層を厚くした場合には、磁石とヨークとの間の空隙が大きくなり、透過する磁力が低下してしまうという問題があった。
【０００５】
本発明は、前記の技術的な問題点に鑑み成されたものであり、低温から高温の広範囲な使用温度環境であっても、温度サイクルの繰り返しによる磁石割れや磁石とヨークの間の空隙を適切に設定して透過する磁力の低下が生じない、新規なヨークと磁石の接着構造を提供することを技術課題とする。
【課題を解決するための手段】
【０００６】
上記の課題を解決するために講じた主要な技術的手段は、回転軸と、この回転軸に固定されたヨークと、ヨークに固定される磁石とを有する電動モータにおいて、磁石は有底部を有するカップ形状であり、磁石の有底部にヨークの端面が係合する、ようにしたことである。
【発明の効果】
【０００７】
本発明においては、ヨークの外周に配置される磁石は、従来のリング状磁石に代わって有底部を有しており、さらにヨークと磁石との間の接着は有底部の内面とヨークの外周とで行なわれる。しかして、カップ状の有低部にヨークが受容される構造であるため、ヨークが高速回転しても磁石がヨークから脱落することがない。また、ヨークの外側面と磁石の内周面との間には、接着剤が介在することはなくなるので、両部品の熱膨張差に起因する磁石が割れの恐れも排除することができるようになった。
【発明を実施するための最良の形態】
【０００８】
以下、本発明の電動モータを適用したオイルポンプを一例として、図面に基づきその構造を説明する。
【０００９】
図１において、電動式油圧ポンプＥＯＰの油圧ポンプＰはトロコイド式で構成されており、この油圧ポンプＰは、センサレスブラシレスの電動モータＭで駆動される。油圧ポンプＰは、ポンプボデーＢＯＤＹとポンプカバーＣＯＶＲとを、環状シール部材ＣＳＭを介在させて結合して、ポンプハウジングＨＪＧを構成し、このポンプハウジングＨＪＧにより、回転自在に支持された回転軸ＲＡと、この回転軸ＲＡの内端部と回転連結された外歯付きインナーロータＩＲと、このインナーロータＩＲの外歯と噛み合う内歯を有するアウターロータＯＲとを主たる構成部材としている。また、ボデーＢＯＤＹ内には、このボデーＢＯＤＹとインナーロータＩＲとによって、インナーロータＩＲの軸方向―側に隣接する吸入室ＩＮＲおよび吐出室ＯＴＲが形成されている。
【００１０】
電動モータＭは、回転軸ＲＡに同軸で結合固定されたヨークＹＯＫＥ、このヨークＹＯＫＥの側部に固定結合された磁石ＭＧＮＴ、コイルＣＯＩＬ、コアＣＯＲＥ、端子ＴＭＬ、および、モータハウジングＭＨＪＧとを主要な構成部材としている。このモータハウジングＭＨＪＧは、コアＣＯＲＥ、コイルＣＯＩＬ、および端子ＴＭＬと一体に成形されており、モータハウジングＭＨＪＧは有底筒状であり、その材質は本実施例では樹脂材料を使用している。モータハウジングＭＨＪＧの開口端は、環状シール部材ＣＳＭを介在してネジＳＣＷによりポンプハウジングＨＪＧと一体的に結合している。モータハウジングＭＨＪＧの筒状の内部空間には、磁石ＭＧＮＴを収容する空間ＲがコイルＣＯＩＬとヨークＹＯＫＥとの間に画成されている。
【００１１】
ヨークＹＯＫＥの外周に固定結合された磁石ＭＧＮＴは有底部ＢＰが形成され、この有底部ＢＰの内面とヨークＹＯＫＥ外端部が接着剤ＳＭ２で接着される。このとき好ましい接着剤として、エポキシ樹脂が使用される。またこのとき、ヨークＹＯＫＥおよび磁石ＭＧＮＴ間の接着剤の厚さはモータの磁力特性には影響を与えないので、接着強度が確保できる任意の厚みで構成されればよい。有底部ＢＰは図示では一部が開放されているがこの開放面積を減じて、ヨークＹＯＫＥと磁石ＭＧＮＴとの接着強度を向上するために接触面積を広げてもよい。
【００１２】
さらに本実施例では、ヨークＹＯＫＥと磁石ＭＧＮＴとのギャップ、得に磁石の有するラジアル異方性希土類磁石の特性を種々の実験の結果により最適な値を探索した結果、使用温度条件下で磁石が割れないギャップである０．０５ｍｍ程度まで小さく設定することができることを明らかにすることができた。従って、ギャップ値を前記の数値近辺まで小さくすることができるため、磁力低下を抑えることができ、モータＭの磁気特性の改善が可能であることも明らかになった。
【００１３】
このモータＭは、端子ＴＭＬと接続される図示しないモータ用ドライバにより、コイルＣＯＩＬに通電されて、回転磁界が磁石ＭＧＮＴに与えられると、磁石ＭＧＮＴと一体に結合された回転軸ＲＡにトルクが与えられる。そして回転軸ＲＡが回転するので、吸入ポートＩＮＰＴから吸入されて吸入室に流入した流体は、吐出室ＯＴＲを経て吐出ポートＯＴＰＴから吐出されるようにポンプＰが駆動される。
【００１４】
本発明である円筒状磁石の接着構造は、ブラシレスモータやステッピングモータなどに広く適用できるものであり、電動式油圧ポンプへの適用のみには限定されるものではない。
【図面の簡単な説明】
【００１５】
【図１】電動式油圧ポンプ装置に本発明による電動モータを適用した電動式油圧ポンプの概略断面図である。
【符号の説明】
【００１６】
ＭＧＮＴ  磁石
ＲＡ  回転軸
ＹＯＫＥ  ヨーク
ＢＡ  接着剤
【図１】
2005354841.tif 000003